(57)【要約】【課題】 外輪の軸方向寸法を小さくして軽量化するとともに、その組立性の低下を防止した斜接玉軸受を提供する。【解決手段】  外輪2上に玉4と保持器5の組立品を載せた状態での玉4の外輪2上端面からの突出量をδＡ、玉径をＢｄ、外輪の上端面内径をＯＤ、玉4の外接円径をＲＤとして、外輪2上端面より玉4の中心Ｃが上側に位置しないように、δＡは、０．３５Ｂｄ≦δＡ≦０．５Ｂｄとされており、さらに、ＲＤ≦ＯＤ≦１．１ＲＤの関係が満たされている。【選択図】    図２
2009079640.tif 000002
【特許請求の範囲】
【請求項１】
外輪、内輪、両輪の間に配置された複数の玉、およびこれらの玉を保持する保持器を備えており、外輪のカウンタボア側端面が内輪の肩部側端面よりも軸方向内方に位置させられる斜接玉軸受において、
外輪上に玉および保持器の組立品を載せた状態での玉の突出量をδＡ、玉径をＢｄ、外輪の肩径をＯＤ、玉外接円径をＲＤとして、δＡは、Ｂｄの０．３５倍以上で０．５倍以下、かつ、ＯＤは、ＲＤ以上でＲＤの１．１倍以下の関係が満たされていることを特徴とする斜接玉軸受。
【発明の詳細な説明】
【技術分野】
【０００１】
この発明は、斜接玉軸受に関し、特に、軽量化された斜接玉軸受に関する。
【背景技術】
【０００２】
外輪、内輪、両輪の間に配置された複数の玉、およびこれらの玉を保持する保持器を備えている斜接玉軸受は、デファレンシャルケースをデファレンシャルキャリアに支持する軸受装置などにおいて、よく使用されている（特許文献１）。
【特許文献１】特開２００４−２１１８５６号公報
【発明の開示】
【発明が解決しようとする課題】
【０００３】
各種転がり軸受において、軽量化が求められており、斜接玉軸受については、外輪および／または内輪の軸方向寸法を小さくして、軽量化することが考えられている。一方、斜接玉軸受では、外輪アッシーの状態としておいてから、組み付けられるのが一般的であり、外輪の軸方向寸法を小さくするという軽量化手法には、玉および保持器の組立品を外輪に組み込む際に、不安定で玉が移動しやすいという問題があった。
【０００４】
この発明の目的は、外輪の軸方向寸法を小さくして軽量化するとともに、外輪アッシーとする際の組付け性の低下を防止した斜接玉軸受を提供することにある。
【課題を解決するための手段】
【０００５】
この発明による斜接玉軸受は、外輪、内輪、両輪の間に配置された複数の玉、およびこれらの玉を保持する保持器を備えており、外輪のカウンタボア側端面が内輪の肩部側端面よりも軸方向内方に位置させられる斜接玉軸受において、外輪上に玉および保持器の組立品を載せた状態での玉の突出量をδＡ、玉径をＢｄ、外輪の肩径をＯＤ、玉外接円径をＲＤとして、δＡは、Ｂｄの０．３５倍以上で０．５倍以下、かつ、ＯＤは、ＲＤ以上でＲＤの１．１倍以下の関係が満たされていることを特徴とするものである。
【０００６】
外輪のカウンタボア側端面が内輪の肩部側端面よりも軸方向内方に位置させられることで、軽量化が図られ、玉の突出量δＡおよび外輪の肩径ＯＤを所要の寸法に規定することで、軽量化の際に悪化する外輪アッシーの組付け性の低下が防止される。
【０００７】
外輪端面よりも玉中心が外側にある場合には組付けが不安定となるため、玉の突出量δＡは、Ｂｄの０．５倍以下とされる。そして、外輪の軽量化を確保するために、玉の突出量δＡは、Ｂｄの０．３５倍以上とされる。外輪の肩径ＯＤについては、大きすぎると組付けが不安定となるため、玉外接円径ＲＤの１．１倍以下とされ、玉外接円径ＲＤ以上であれば、挿入に支障がないので、玉外接円径ＲＤと同じ径が下限とされる。
【０００８】
外輪軸方向寸法については、外輪の一端面を保持器の端面よりも軸方向外方に位置させてもよく、外輪の一端面を保持器の端面よりも軸方向内方に位置させてもよい。内輪軸方向寸法については、内輪の一端面を保持器の端面よりも軸方向内方に位置させることが好ましい。
【０００９】
斜接玉軸受は、単列でも複列でもよく、外輪、内輪、玉および保持器の材料については、限定されない。
【発明の効果】
【００１０】
この発明の斜接玉軸受によると、外輪上に玉および保持器の組立品を載せた状態での玉の突出量をδＡ、玉径をＢｄ、外輪の肩径をＯＤ、玉外接円径をＲＤとして、δＡは、Ｂｄの０．３５倍以上で０．５倍以下、かつ、ＯＤは、ＲＤ以上でＲＤの１．１倍以下の関係が満たされていることによって、軽量化の際に悪化する外輪アッシーの組付け性の低下が防止される。
【発明を実施するための最良の形態】
【００１１】
この発明の実施の形態を、以下図面を参照して説明する。以下の説明において、左右および上下は、それぞれ図の左右および上下をいうものとする。
【００１２】
図３は、この発明が対象としている斜接玉軸受の軽量化品を示している。
【００１３】
同図において、斜接玉軸受(31)は、内周に軌道面(32a)が形成された外輪(32)、外周に軌道面(33a)が形成された内輪(33)、両輪(32)(33)の間に周方向に所定間隔で配置された複数の玉(34)、およびこれらの玉(34)を保持するわん形保持器(35)を備えている。
【００１４】
この斜接玉軸受(31)は、従来の非軽量化品と比べると、外輪(32)の右端面（カウンタボア側端面）が内輪(33)の右端面（肩部側端面）よりも軸方向内方でかつ保持器(35)の右端面よりも軸方向内方に位置させられるとともに、内輪(33)の左端面（カウンタボア側端面）が外輪(32)の左端面（肩部側端面）よりも軸方向内方でかつ保持器(35)の左端面よりも軸方向内方に位置させられている。
【００１５】
このような斜接玉軸受(31)は、軸受装置に取り付けられるに際し、内輪(33)は、単体で回転軸に取り付けられ、外輪(32)、玉(34)および保持器(35)は、玉(34)と保持器(35)の組立品を外輪(32)に組み込んで外輪アッシーとしておいて、ハウジング等に取り付けられる。
【００１６】
図４は、図３に示した斜接玉軸受(31)の外輪アッシーの組付け状態を示すもので、玉(34)と保持器(35)の組立品を外輪(32)に挿入する際、玉(34)と保持器(35)の組立品が同図に二点鎖線で示すように傾くことで、組付けが不安定となっている。この原因について調査したところ、図４に示す組付け時において、外輪(32)端面（上端面）より玉(34)の中心Ｃが上側にある（Δ＞０）場合に、組付け不安定となることが確認された。
【００１７】
図１および図２は、上記問題を解消した本発明による斜接玉軸受を示している。
【００１８】
図１に示すように、斜接玉軸受(1)は、内周に軌道面(2a)が形成された外輪(2)、外周に軌道面(3a)が形成された内輪(3)、両輪(2)(3)の間に周方向に所定間隔で配置された複数の玉(4)、およびこれらの玉(4)を保持するわん形保持器(5)を備えている。
【００１９】
斜接玉軸受(1)は、軽量化品であり、従来の非軽量化品と比べると、外輪(2)の右端面（カウンタボア側端面）が内輪(3)の右端面（肩部側端面）よりも軸方向内方に位置させられるとともに、内輪(3)の左端面（カウンタボア側端面）が外輪(2)の左端面（肩部側端面）よりも軸方向内方に位置させられている。
【００２０】
外輪(2)の右端部（カウンタボア側端面）には、玉(4)と保持器(5)の組立品を外輪(2)に挿入する際に、玉(4)と保持器(5)の組立品を案内する案内部(6)が設けられている。
【００２１】
案内部(6)は、円筒状で、玉(4)の右方への移動を防止している外輪(2)の右側小径部分(2b)に連なって設けられており、その右端面（カウンタボア側端面）が内輪(3)の右端面（肩部側端面）よりも軸方向内方に位置させられていることで、軽量化を妨げないようになされている。
【００２２】
内輪(3)の左端面（カウンタボア側端面）は、図３のものと同様に、保持器(5)の左端面よりも軸方向内方に位置させられている。
【００２３】
案内部(6)は、外輪(2)端面（アッシーとされる際の上端面）位置と玉(4)の中心位置との寸法関係に着目し、その他関連寸法を含めた寸法設定を行うことで外輪アッシーの組付け性を向上するものとされている。
【００２４】
図２は、図１に示した斜接玉軸受(1)の外輪アッシーの組付け状態を示している。同図において、水平に置かれた外輪(2)上に玉(4)と保持器(5)の組立品を載せた場合、外輪(2)の右側小径部分(2b)の径が保持器(5)に保持された状態での玉(4)の外接円径よりも小さいので、外輪(2)の右側小径部分(2b)によって玉(4)と保持器(5)の組立品が支持される。この状態での玉(4)の外輪(2)上端面からの突出量をδＡ、玉(4)径をＢｄ、外輪(2)の肩径すなわち案内部(6)の内径をＯＤ、保持器(5)に保持された状態での玉(4)の外接円径をＲＤとして、外輪(2)端面（上端面）より玉(4)の中心Ｃが上側に位置しないように、δＡは、Ｂｄの０．３５倍以上で０．５倍以下（０．３５Ｂｄ≦δＡ≦０．５Ｂｄ）とされている。そして、この条件に加えて、、ＯＤは、ＲＤ以上でＲＤの１．１倍以下（ＲＤ≦ＯＤ≦１．１ＲＤ）の関係が満たされていることにより、図４に示したような玉と保持器の組立品の傾きが防止され、組付けが不安定となることが解消されている。
【００２５】
なお、図１における外輪(2)の案内部(6)の右端面と保持器(5)の右端面との位置関係については、δＡがＢｄの０．３５倍に近い値に設定された場合には、外輪(2)の案内部(6)の右端面が保持器(5)の右端面よりも右方にあり、δＡがＢｄの０．５倍に近い値に設定された場合には、外輪(2)の案内部(6)の右端面が保持器(5)の右端面よりも左方にくるようになる。
【００２６】
上記において、斜接玉軸受(1)は、単列として説明したが、上記の外輪アッシーの組付け性向上の条件は、複列等の多列斜接玉軸受にも同様に適用することができる。
【図面の簡単な説明】
【００２７】
【図１】図１は、この発明による斜接玉軸受の実施形態を示す縦断面図である。
【図２】図２は、この発明による斜接玉軸受の外輪アッシー組み付け状態を示す縦断面図である。
【図３】図３は、従来の斜接玉軸受を示す縦断面図である。
【図４】図４は、従来の斜接玉軸受の外輪アッシー組み付け状態を示す縦断面図である。
【符号の説明】
【００２８】
(1)     斜接玉軸受
(2)     外輪
(3)     内輪
(4)     玉
(5)     保持器
【図１】
2009079640.tif 000003
【図２】
2009079640.tif 000004
【図３】
2009079640.tif 000005
【図４】
2009079640.tif 000006